(57)【要約】【課題】拡張キーユニットが本体に対して非装着状態の場合でも、ファンクションキーが無駄にならないようにした電子機器を提供する。【解決手段】ファンクションキーを備えた本体と、本体と着脱自在に構成され、１つのキーに対して複数の入力情報が割り当て可能な割り当てキーを備えた拡張キーユニットと、本体に対して拡張キーユニットが装着状態の場合に、ファンクションキーに対して、割り当てキーに割り当てられた複数の入力情報から所定の入力情報を選択する選択機能を割り当て、本体に対して拡張キーユニットが非装着状態の場合に、ファンクションキーに対して、選択機能以外の機能を割り当てる制御部とを備える。【選択図】図１３
2019161452.tif 000002
【特許請求の範囲】
【請求項１】
ファンクションキーを備えた本体と、
前記本体と着脱自在に構成され、１つのキーに対して複数の入力情報が割り当て可能な割り当てキーを備えた拡張キーユニットと、
前記本体に対して前記拡張キーユニットが装着状態の場合に、前記ファンクションキーに対して、前記割り当てキーに割り当てられた複数の入力情報から所定の入力情報を選択する選択機能を割り当て、前記本体に対して前記拡張キーユニットが非装着状態の場合に、前記ファンクションキーに対して、前記選択機能以外の機能を割り当てる制御部と
を備える電子機器。
【請求項２】
前記本体は、複数の前記ファンクションキーを備え、
前記制御部は、押下された前記ファンクションキーの種類に基づいて、前記割り当てキーに割り当てられた複数の入力情報から所定の入力情報を選択する
請求項１に記載の電子機器。
【請求項３】
前記本体は、１つの前記ファンクションキーを備え、
前記制御部は、前記ファンクションキーが押下された回数に基づいて、前記割り当てキーに割り当てられた複数の入力情報から所定の入力情報を選択する
請求項１に記載の電子機器。
【請求項４】
前記本体は、１つの前記ファンクションキーを備え、
前記制御部は、前記ファンクションキーが押下された時間に基づいて、前記割り当てキーに割り当てられた複数の入力情報から所定の入力情報を選択する
請求項１に記載の電子機器。
【請求項５】
前記本体は、押下圧力レベルが検知可能な１つの前記ファンクションキーを備え、
前記制御部は、前記ファンクションキーへの押下圧力に基づいて、前記割り当てキーに割り当てられた複数の入力情報から所定の入力情報を選択する
請求項１に記載の電子機器。
【請求項６】
前記本体は、前記拡張キーユニットを装着する装着部を備え、前記装着部を備える面と反対側の面に前記ファンクションキーを備える
請求項１から５のいずれか１項に記載の電子機器。
【請求項７】
前記本体は、表示部を備え、前記表示部を備える面と反対側の面に前記ファンクションキーを備える
請求項１から５のいずれか１項に記載の電子機器。
【請求項８】
前記割り当てキーに割り当てる入力情報は、飲食店において注文可能なメニューに関するメニュー情報である
請求項１から７のいずれか１項に記載の電子機器。
【発明の詳細な説明】
【技術分野】
【０００１】
本発明は、電子機器に関する。
【背景技術】
【０００２】
近年、レストラン、居酒屋、カラオケ店など飲食物を提供する店舗では、スタッフが客から受けた注文をハンディターミナルと称される注文端末装置に入力し、入力された注文を注文端末装置から注文管理装置に送信する注文管理システムが提案されている（例えば特許文献１および２）。注文端末装置では、一般的に本体にタッチパネル入力部が用意され、さらに必要に応じて、押圧操作によってメニュー等が入力できる複数のキーを備えた蓋体が本体に装着可能に構成されている。
【０００３】
飲食店では、少ないタッチ数で、かつ、多くのメニューが入力できることが要望されるため、蓋体側のキーは必須の要件になっている。通常、蓋体側のキーは、横に４〜５列で、縦には１０〜１２段程度の数が設定されている。店舗のスタッフは、客からの注文を聞いて、オーダーに応じたメニュー名のキーを押して、注文メニューを登録する。
【先行技術文献】
【特許文献】
【０００４】
【特許文献１】特許第３９９６６９０号公報
【特許文献２】特開２０１７−１６３１９０号公報
【発明の概要】
【発明が解決しようとする課題】
【０００５】
近年では、スマートフォンやタブレット等の普及に合わせて、注文端末装置においてもこれらの電子機器と同様の高い利便性を実現させるために、なるべく大型のタッチパネル入力部を搭載することが望まれている。しかしながら、特許文献１に記載の注文端末装置は、タッチパネル入力部の下方位置に、使用頻度の高い機能キー（オーダリング処理で使用する各種ファンクションや数字）を設定した物理キー部を設けているため、タッチパネル入力部の大きさに制約が生じる問題がある。
【０００６】
一方、特許文献２に記載の注文端末装置は、本体側の内面のほぼ全面をタッチパネル入力部とすることでタッチパネル入力部を大型化し、さらに、蓋体側の押圧式のキーにおいて、１つのキーに複数のメニューが設定可能な割り当てキーを備えることで、高い利便性を実現している。
【０００７】
特許文献２に記載の注文端末装置のように、１つのキーに複数のメニューが設定可能な割り当てキーを備えた場合、一般的には、割り当てキーに設定された複数のメニューの中から所望のメニューを選択するためのファンクションキー（特許文献２におけるシフトキー）が必要になる。このファンクションキーをタッチパネル入力部において表示させると、その分だけタッチパネル入力部に表示できる情報が減ってしまうため、物理的なファンクションキーを注文端末装置の空スペースに設けることが考えられる。
【０００８】
この場合に、蓋体側にファンクションキーを設けてしまうと、蓋体側においてメニューの選択に使用できるキーの数が減ってしまうため、本体側にファンクションキーを設けることが好ましい。しかしながら、本体側にファンクションキーを設けると、割り当てキーを備えた蓋体を本体から取り外した場合に、本体側のファンクションキーが無駄なキーとなってしまう問題が発生する。
【０００９】
このような問題は、注文端末装置に限らず起こり得る。例えば、多くの情報から入力したい情報を選択して入力させる機能を搭載した電子機器や、入力キー等の入力部の数が少ない電子機器等で同様な問題が起こり得る。
【００１０】
本発明は上記事情に鑑みなされたものであり、１つのキーに対して複数の入力情報が割り当て可能な割り当てキーを備えた拡張キーユニットが、本体に対して非装着状態の場合でも、ファンクションキーが無駄にならないようにした電子機器を提供することを目的とする。
【課題を解決するための手段】
【００１１】
本発明の電子機器は、ファンクションキーを備えた本体と、本体と着脱自在に構成され、１つのキーに対して複数の入力情報が割り当て可能な割り当てキーを備えた拡張キーユニットと、本体に対して拡張キーユニットが装着状態の場合に、ファンクションキーに対して、割り当てキーに割り当てられた複数の入力情報から所定の入力情報を選択する選択機能を割り当て、本体に対して拡張キーユニットが非装着状態の場合に、ファンクションキーに対して、選択機能以外の機能を割り当てる制御部とを備える。
【００１２】
本発明の電子機器において、本体は、複数のファンクションキーを備え、制御部は、押下されたファンクションキーの種類に基づいて、割り当てキーに割り当てられた複数の入力情報から所定の入力情報を選択してもよい。
【００１３】
また、本体は、１つのファンクションキーを備え、制御部は、ファンクションキーが押下された回数または時間に基づいて、割り当てキーに割り当てられた複数の入力情報から所定の入力情報を選択してもよいし、本体は、押下圧力レベルが検知可能な１つのファンクションキーを備え、制御部は、ファンクションキーへの押下圧力に基づいて、割り当てキーに割り当てられた複数の入力情報から所定の入力情報を選択してもよい。
【００１４】
また、本体は、拡張キーユニットを装着する装着部を備え、装着部を備える面と反対側の面にファンクションキーを備えてもよいし、本体は、表示部を備え、表示部を備える面と反対側の面にファンクションキーを備えてもよい。
【００１５】
また、割り当てキーに割り当てる入力情報は、飲食店において注文可能なメニューに関するメニュー情報としてもよい。
【発明の効果】
【００１６】
本発明によれば、本体に拡張キーユニットが装着されているか否かで、ファンクションキーに対して割り当てる機能を変化させる制御部を設けることで、本体に対して拡張キーユニットが非装着状態の場合でも、ファンクションキーが無駄にならず、有効に活用させることができる。
【図面の簡単な説明】
【００１７】
【図１】本発明の一実施形態に係る注文管理システムの概略構成図
【図２】本発明の一実施形態に係る注文端末装置の外観構成を示す図
【図３】本発明の一実施形態に係る注文端末装置の蓋体が開いた状態を示す図
【図４】本発明の一実施形態に係る注文端末装置の蓋体を外した状態を示す図
【図５】本発明の一実施形態に係る注文端末装置の概略ブロック図
【図６】本発明の一実施形態に係る注文端末装置における割り当てキーの説明図
【図７】本発明の一実施形態に係る注文端末装置における割り当てキーの説明図
【図８】本発明の一実施形態に係る注文端末装置におけるモード表示の説明図
【図９】本発明の一実施形態に係る注文端末装置におけるモード表示の説明図
【図１０】本発明の一実施形態に係る注文端末装置におけるモード表示の説明図
【図１１】本発明の一実施形態に係る注文端末装置におけるモード表示の説明図
【図１２】本発明の一実施形態に係る注文端末装置におけるモード表示の説明図
【図１３】本発明の一実施形態に係る注文端末装置におけるファンクションキーへの機能割当制御を示すフローチャート
【図１４】本発明のその他の実施形態に係る注文端末装置の外観構成を示す図
【発明を実施するための形態】
【００１８】
以下、本発明の実施の形態について図面を参照しながら説明する。本実施形態では、電子機器を含むシステムの一例として、注文管理システムの例を用いて説明する。図１は、電子機器としての注文端末装置を含むシステムの一例であり、本実施形態に係る注文管理システム１の概略構成図である。図１に示すように、注文管理システム１は、注文端末装置１０−ｎ（ｎは１以上の整数）、無線中継装置２０−１〜２０−ｍ（ｍは１以上の整数）、注文管理装置４０、および伝票出力装置５０−ｏ（ｏは１以上の整数）を備えている。無線中継装置２０と注文管理装置４０とは、ネットワーク３０を介して接続されている。ここで、ネットワーク３０は、ＬＡＮ（Ｌｏｃａｌ  Ａｒｅａ  Ｎｅｔｗｏｒｋ）等の有線ネットワークである。なお、ネットワーク３０は、無線ネットワークであってもよい。
【００１９】
以下の説明において、注文端末装置１０−ｎを特定しない場合、注文端末装置１０という。無線中継装置２０−１〜２０−ｍを特定しない場合、無線中継装置２０という。伝票出力装置５０−ｏを特定しない場合、伝票出力装置５０という。
【００２０】
注文端末装置１０は、無線中継装置２０およびネットワーク３０を介して注文管理装置４０と通信を行う。注文端末装置１０は、注文管理システム１を使用する店舗のスタッフにより、各種の入力キーによって入力または選択された情報を検出し、検出した情報を無線中継装置２０およびネットワーク３０を介して注文管理装置４０へ送信する。注文端末装置１０が送信する情報は、客の人数や卓の情報、および、注文された商品番号、商品名、その数量等の情報である。無線中継装置２０は、注文端末装置１０が送信した情報を受信し、受信した情報をネットワーク３０を介して注文管理装置４０に送信する。また、無線中継装置２０は、ネットワーク３０を介して注文管理装置４０が送信した調理指示伝票情報や、会計伝票情報を受信し、受信した伝票情報を伝票出力装置５０に送信する。
【００２１】
注文管理装置４０は、無線中継装置２０およびネットワーク３０を介して、注文端末装置１０からの情報を受信する。注文管理装置４０は、受信した情報を自装置内に記憶させる。
【００２２】
伝票出力装置５０は、注文管理装置４０から受信した情報に応じて、調理を行うための調理指示伝票や、お客が支払いを行うための会計伝票を発行する。伝票出力装置５０は、例えばプリンタである。
【００２３】
図２は本発明の一実施形態に係る注文端末装置（電子機器）１０の外観構成を示す図、図３は上記注文端末装置１０の蓋体が開いた状態を示す図、図４は上記注文端末装置１０の蓋体を外した状態を示す図、図５は上記注文端末装置１０の概略ブロック図である。
【００２４】
図２および３に示すように、注文端末装置１０は、開閉自在の蓋体１２１により、本体１２０を覆う構成となっている。蓋体１２１は、内面に複数のキーを備えた拡張キー入力部（拡張キーユニット）１２２を備える。レストランや居酒屋でスタッフが携帯する場合には、図２に示すように、蓋体１２１は閉じられる。スタッフが客の注文を受ける際には、図３に示すように、蓋体１２１が開かれる。
【００２５】
蓋体１２１は、ヒンジ部１２１ａが本体１２０に対して着脱自在に構成されており、必要に応じて、図３に示すように、本体１２０に対して蓋体１２１を装着状態としたり、図４に示すように、本体１２０に対して蓋体１２１を非装着状態としたりできる。本体１２０は、蓋体１２１のヒンジ部１２１ａを装着する装着部１２０ａを備え、装着部１２０ａを備える側面と反対側の側面に３つのファンクションキー１０８ａ，１０８ｂ，１０８ｃを備えている。３つのファンクションキー１０８ａ，１０８ｂ，１０８ｃは、スタッフが本体１２０を左手で持ったときに親指が触れることが想定される位置の近傍に配置することで、操作性を向上させることができる。
【００２６】
３つのファンクションキー１０８ａ，１０８ｂ，１０８ｃは、本体１２０に対して蓋体１２１が取り付けられた装着状態の場合には、後述の割り当てキー１４１に割り当てられた複数の入力情報から所定の入力情報を選択する選択機能が割り当てられ、本体１２０に対して蓋体１２１が取り外された非装着状態の場合には、選択機能以外の機能が割り当てられる。なお、蓋体１２１の装着については、例えば、電源投入時、定期的タイミング、タッチパネル表示部１０７に注文入力画面を表示させる時、３つのファンクションキー１０８ａ、１０８ｂ、１０８ｃが押下された時等、何らかのタイミングにおいて、本体１２０から特定のコマンドを蓋体１２１に対して送信し、その応答によって判断する。
【００２７】
図３に示すように、注文端末装置１０の本体１２０には、タッチパネル表示部１０７が設けられる。タッチパネル表示部１０７は、後述の表示部１０５上にタッチパネル入力部１０６を積層配置して構成される。タッチパネル表示部１０７には、各種の文字やアイコン、ボタン等が表示され、スタッフがタッチパネル表示部１０７をタッチすることで、各種の入力が行える。蓋体１２１側の拡張キー入力部１２２には、複数の割り当てキー１４１が配置されている。各割り当てキー１４１には、提供できるメニューが割り当てられている。
【００２８】
図５に示すように、注文端末装置１０は、制御部としてのＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、不揮発性メモリ１０４、表示部１０５およびタッチパネル入力部１０６から構成されるタッチパネル表示部１０７、ファンクションキー入力部１０８、通信制御部１０９、拡張キー入力部１２２を備えている。
【００２９】
ＣＰＵ１０１は、ＲＯＭ１０２が記憶する制御プログラムと、ＲＡＭ１０３及び不揮発性メモリ１０４が記憶する各種情報を読み出し、読み出した制御プログラムと各種情報とに基づいて各部の制御を行う。また、ＣＰＵ１０１は、必要な情報をＲＡＭ１０３及び不揮発性メモリ１０４に記憶させる。ＣＰＵ１０１は、バスを介して注文端末装置１０が備える各部と互いにデータの入出力が可能な状態で接続している。
【００３０】
ＲＯＭ１０２は、ＣＰＵ１０１が用いる制御プログラムを記憶する記憶領域である。ＲＡＭ１０３は、ＣＰＵ１０１が用いる情報を記憶する一時記憶領域である。不揮発性メモリ１０４は、ＣＰＵ１０１が用いる情報を記憶する記憶領域である。不揮発性メモリ１０４としては、フラッシュメモリ等が用いられる。
【００３１】
表示部１０５は、ＣＰＵ１０１の制御に応じて各種情報を表示する。表示部１０５は、例えば液晶ディスプレイ、有機ＥＬ（Ｅｌｅｃｔｒｏｌｕｍｉｎｅｓｃｅｎｃｅ）ディスプレイである。
【００３２】
タッチパネル入力部１０６は、表示部１０５上に積層配置されている。タッチパネル入力部１０６は、スタッフが押下した座標位置や動きを検出して、各種の入力を行う。また、タッチパネル入力部１０６は、押下の圧力、もしくは、静電容量の変化を検出して、キーの入力を検出することができる。
【００３３】
ファンクションキー入力部１０８は、装置上方からファンクションキー１０８ａ，１０８ｂ，１０８ｃの順に配置された３つのファンクションキーを備えている。ファンクションキー入力部１０８は、ファンクションキー１０８ａ，１０８ｂ，１０８ｃのうち操作されたキーを検出し、検出したキーを示す情報をＣＰＵ１０１に出力する。
【００３４】
通信制御部１０９は、ＣＰＵ１０１から出力された入力情報を無線中継装置２０に送信する。また、通信制御部１０９は、無線中継装置２０から受信した信号をＣＰＵ１０１に出力する。
【００３５】
拡張キー入力部１２２は、操作された割り当てキー１４１を検出し、検出した割り当てキー１４１を示す情報をＣＰＵ１０１に出力する。
【００３６】
図６は、蓋体１２１の拡張キー入力部１２２を示すものである。図６に示すように、蓋体１２１側には、例えばメンブレン方式の複数の割り当てキー１４１が配置されている。割り当てキー１４１には、各々メニューが割り当てられている。本実施形態では、１つの割り当てキー１４１に対して、最大４つまでの複数のメニューを割り当てることができる。同一の割り当てキー１４１に割り当てられた複数のメニューは、通常モード、２ｎｄモード、３ｒｄモード、４ｔｈモードの４つのモードを切り替えることで、選択することができる。これらのモードは、本体１２０側のファンクションキー１０８ａ，１０８ｂ，１０８ｃにより切り替えることができる。
【００３７】
ファンクションキー１０８ａは、２ｎｄモードへの切り替え機能を有し、２ｎｄモード以外の状態でファンクションキー１０８ａが押下されると２ｎｄモードへ遷移し、２ｎｄモード状態でファンクションキー１０８ａが押下されると通常モードへ遷移する。また、ファンクションキー１０８ｂは、３ｒｄモードへの切り替え機能を有し、３ｒｄモード以外の状態でファンクションキー１０８ｂが押下されると３ｒｄモードへ遷移し、３ｒｄモード状態でファンクションキー１０８ｂが押下されると通常モードへ遷移する。また、ファンクションキー１０８ｃは、４ｔｈモードへの切り替え機能を有し、４ｔｈモード以外の状態でファンクションキー１０８ｃが押下されると４ｔｈモードへ遷移し、４ｔｈモード状態でファンクションキー１０８ｃが押下されると通常モードへ遷移する。
【００３８】
次に、割り当てキー１４１の操作について説明する。ここでは、一例として、図７に示す割り当てキー１４１ａについて説明する。図７に示すように、割り当てキー１４１ａには、１行目に「ポタージュスープ」、２行目に「ミネストローネスープ」、３行目に「オニオンスープ」、４行目に「クラムチャウダースープ」のメニューが設定されている。
【００３９】
ここで、通常モードの状態で割り当てキー１４１ａが押されると、１行目の「ポタージュスープ」が入力される。２ｎｄモードの状態で割り当てキー１４１ａが押されると、２行目の「ミネストローネスープ」が入力される。３ｒｄモードの状態で割り当てキー１４１ａが押されると、３行目の「オニオンスープ」が入力される。４ｔｈモードの状態で割り当てキー１４１ａが押されると、４行目の「クラムチャウダースープ」が入力される。
【００４０】
以下に具体例を説明する。図８では、一例として、タッチパネル表示部１０７に肉料理に関するメニューが選択可能に表示されている状態を示している。通常モード状態の場合は、図８に示すように、モードを示す情報は何も表示されていない。この状態でスタッフが割り当てキー１４１ａを押した場合には、表示されているメニューに優先して、１行目に設定された「ポタージュスープ」がタッチパネル表示部１０７に表示されるとともに、この「ポタージュスープ」が選択されたメニューとして入力される。
【００４１】
また、設定されているモードが通常モード以外の場合は、図９〜１１に示すように、ファンクションキーの押下により遷移したモードを示す情報が、タッチパネル表示部１０７に表示される。
【００４２】
２ｎｄモード状態のときには、図９に示すように、タッチパネル表示部１０７に表示されているメニュー上に２ｎｄの意味の「２」の文字１５１が透過モードで表示される。この状態でスタッフが割り当てキー１４１ａを押した場合は、表示されているメニューに優先して、２行目に設定された「ミネストローネスープ」がタッチパネル表示部１０７に表示されるとともに、この「ミネストローネスープ」が選択されたメニューとして入力される。
【００４３】
３ｒｄモード状態のときには、図１０に示すように、タッチパネル表示部１０７に表示されているメニュー上に３ｒｄの意味の「３」の文字１５２が透過モードで表示される。この状態でスタッフが割り当てキー１４１ａを押した場合は、表示されているメニューに優先して、３行目に設定された「オニオンスープ」がタッチパネル表示部１０７に表示されるとともに、この「オニオンスープ」が選択されたメニューとして入力される。
【００４４】
４ｔｈモード状態のときには、図１１に示すように、タッチパネル表示部１０７に表示されているメニュー上に４ｔｈの意味の「４」の文字１５３が透過モードで表示される。この状態でスタッフが割り当てキー１４１ａを押した場合は、表示されているメニューに優先して、３行目に設定された「クラムチャウダースープ」がタッチパネル表示部１０７に表示されるとともに、この「クラムチャウダースープ」が選択されたメニューとして入力される。
【００４５】
なお、上記のように透過モードで現在のモードを表示する態様の代わり、もしくは、透過モードで現在のモードを表示する態様と合わせて、図１２に示すように、タッチパネル表示部１０７の上方の情報表示領域に、現在のモードの表示を示す「２ｎｄ」等の文字１５５を表示しても良い。
【００４６】
また、割り当てキー１４１には、メニューのほかに、分類(メニューグループ)、操作用のキーを割り付けることもでき、これらは、メニューと同じようにファンクションキーの操作によって、選択することが可能である。例えば、メニューグループを選択した場合は、本体に、そのグループのメニュー一覧が選択可能に表示される。
【００４７】
図４に示すように、注文端末装置１０の蓋体１２１を本体１２０から外した場合は、１つのキーに対して複数の入力情報が割り当て可能な割り当てキー１４１が無くなるため、３つのファンクションキー１０８ａ，１０８ｂ，１０８ｃについて、割り当てキー１４１に割り当てられた複数の入力情報から所定の入力情報を選択する選択機能を割り当てる必要性がなくなる。
【００４８】
そのため、注文端末装置１０の蓋体１２１を本体１２０から外した場合には、３つのファンクションキー１０８ａ，１０８ｂ，１０８ｃについて、選択機能以外の機能が割り当てられる。この場合に、３つのファンクションキー１０８ａ，１０８ｂ，１０８ｃに割り当てる選択機能以外の機能としては、例えば、各々、音量ｕｐ、音量ｄｏｗｎ、画面表示ＯＦＦ／ＯＮ等の機能が挙げられる。勿論、これら以外の機能を割り当てたり、スタッフに任意の機能を設定させてもよい。
【００４９】
図１３は、本実施形態におけるファンクションキーへの機能割当制御を示すフローチャートである。
【００５０】
（ステップＳ１）ＣＰＵ１０１は、注文端末装置１０の電源投入を検出する。その後、ステップＳ２の処理に進む。
【００５１】
（ステップＳ２）ＣＰＵ１０１は、蓋体１２１が本体１２０に装着されているかを判定する。蓋体１２１が本体１２０に装着されていると判定した場合（ステップＳ２：Ｙｅｓ）、ＣＰＵ１０１は、ステップＳ３の処理に進む。
【００５２】
（ステップＳ３）ＣＰＵ１０１は、３つのファンクションキー１０８ａ，１０８ｂ，１０８ｃについて、割り当てキー１４１に割り当てられた複数の入力情報から所定の入力情報を選択する選択機能を割り当てる。その後、処理を終了する。
【００５３】
一方、ステップＳ２において、蓋体１２１が本体１２０に装着されていないと判定した場合（ステップＳ２：Ｎｏ）、ＣＰＵ１０１は、ステップＳ４の処理に進む。
【００５４】
（ステップＳ４）ＣＰＵ１０１は、３つのファンクションキー１０８ａ，１０８ｂ，１０８ｃについて、選択機能以外の機能を割り当てる。その後、処理を終了する。
【００５５】
なお、図１３に示すフローチャートでは、電源投入時に一度だけ蓋体１２１の有無を検出し、検出結果に基づいてファンクションキーの機能を決定する態様について説明したが、注文端末装置１０が、電源投入状態において、蓋体１２１を本体１２０に対して着脱自在に構成されている場合には、ファンクションキーの機能の決定後に、蓋体１２１の有無の変化に応じて、ファンクションキーの機能を変更するように構成してもよい。
【００５６】
例えば、図１３のフローチャートに示す電源投入時の他に、定期的タイミング、タッチパネル表示部１０７に注文入力画面を表示させる時、３つのファンクションキー１０８ａ、１０８ｂ、１０８ｃが押下された時等、何らかのタイミングにおいて、本体１２０から特定のコマンドを蓋体１２１に対して送信し、その応答によって蓋体１２１の有無を検出して、ファンクションキーの機能を変更するように構成してもよい。
【００５７】
本実施形態によれば、本体１２０に蓋体１２１（拡張キー入力部１２２）が装着されているか否かで、３つのファンクションキー１０８ａ，１０８ｂ，１０８ｃに対して割り当てる機能を変化させることで、本体１２０に対して蓋体１２１（拡張キー入力部１２２）が非装着状態の場合でも、３つのファンクションキー１０８ａ，１０８ｂ，１０８ｃが無駄にならず、有効に活用させることができる。
【００５８】
なお、注文管理システム１を構成する注文端末装置１０、無線中継装置２０、注文管理装置４０、および伝票出力装置５０のハードウェアの構成は特に限定されるものではなく、複数のＩＣ（Ｉｎｔｅｇｒａｔｅｄ  Ｃｉｒｃｕｉｔ）、プロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、およびメモリなどを適宜組み合わせることによって実現することができる。
【００５９】
また、注文管理システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６０】
また、「コンピュータシステム」は、ＷＷＷシステムを利用している場合であれば、ホームページ提供環境（あるいは表示環境）も含むものとする。
【００６１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６２】
以上、本発明の実施形態について図面を参照して詳述してきたが、具体的な構成は上記実施形態に限られるものではなく、この発明の要旨を逸脱しない範囲で設計変更を行った場合でも、上記実施形態と同様の効果を得ることができる。
【００６３】
例えば、ファンクションキーの位置については、図１４に示すように、本体１２０の裏面（タッチパネル表示部１０７を備える面と反対側の面）に配置してもよい。なお、図１４では、一例として、３つのファンクションキー１０８ａ，１０８ｂ，１０８ｃを備えた場合の構成を示している。３つのファンクションキー１０８ａ，１０８ｂ，１０８ｃは、スタッフが本体１２０を持ったときに指が触れることが想定される位置の近傍に配置することで、操作性を向上させることができる。
【００６４】
また、ファンクションキーの数についても、３つに限らず、１つの割り当てキーに割り当てられる入力情報の数に応じて、適宜変更してもよい。
【００６５】
また、１つの割り当てキーに割り当てられる入力情報の数に関わらず、１つのファンクションキーを設け、ファンクションキーが押下された回数に基づいて、割り当てキーに割り当てられた複数の入力情報から所定の入力情報を選択するようにしてもよい。
【００６６】
具体的には、上記実施形態と同様に、１つの割り当てキーに対して、最大４つまでの複数のメニューが割り当て可能な場合を例に説明すると、ファンクションキーが１回押される毎に、通常モード、２ｎｄモード、３ｒｄモード、４ｔｈモード、通常モードと順次切り替えるようにすればよい。
【００６７】
また、１つの割り当てキーに割り当てられる入力情報の数に関わらず、１つのファンクションキーを設け、ファンクションキーが押下された時間に基づいて、割り当てキーに割り当てられた複数の入力情報から所定の入力情報を選択するようにしてもよい。
【００６８】
具体的には、上記実施形態と同様に、１つの割り当てキーに対して、最大４つまでの複数のメニューが割り当て可能な場合を例に説明すると、ファンクションキーが押された状態で所定時間（例えば１秒）が経過する毎に、通常モード、２ｎｄモード、３ｒｄモード、４ｔｈモード、通常モードと順次切り替えるようにすればよい。
【００６９】
また、１つの割り当てキーに割り当てられる入力情報の数に関わらず、押下圧力レベルが検知可能な１つのファンクションキーを設け、ファンクションキーへの押下圧力に基づいて、割り当てキーに割り当てられた複数の入力情報から所定の入力情報を選択するようにしてもよい。
【００７０】
具体的には、上記実施形態と同様に、１つの割り当てキーに対して、最大４つまでの複数のメニューが割り当て可能な場合を例に説明すると、ファンクションキーへの押下圧力が高くなるにつれて、通常モード、２ｎｄモード、３ｒｄモード、４ｔｈモードと切り替えるようにすればよい。
【００７１】
上記以外にも、この発明の要旨を逸脱しない範囲で、設計変更を行ってもよい。
【符号の説明】
【００７２】
１     注文管理システム
１０   注文端末装置
２０   無線中継装置
３０   ネットワーク
４０   注文管理装置
５０   伝票出力装置
１０１ ＣＰＵ
１０２ ＲＯＭ
１０３ ＲＡＭ
１０４ 不揮発性メモリ
１０５ 表示部
１０６ タッチパネル入力部
１０７ タッチパネル表示部
１０８ ファンクションキー入力部
１０８ａ      ファンクションキー
１０８ｂ      ファンクションキー
１０８ｃ      ファンクションキー
１０９ 通信制御部
１２０ 本体
１２０ａ      装着部
１２１ 蓋体
１２１ａ      ヒンジ部
１２２ 拡張キー入力部
１４１ 割り当てキー
１４１ａ      割り当てキー
１５１ 文字
１５２ 文字
１５３ 文字
１５５ 文字
【図１】
2019161452.tif 000003
【図２】
2019161452.tif 000004
【図３】
2019161452.tif 000005
【図４】
2019161452.tif 000006
【図５】
2019161452.tif 000007
【図６】
2019161452.tif 000008
【図７】
2019161452.tif 000009
【図８】
2019161452.tif 000010
【図９】
2019161452.tif 000011
【図１０】
2019161452.tif 000012
【図１１】
2019161452.tif 000013
【図１２】
2019161452.tif 000014
【図１３】
2019161452.tif 000015
【図１４】
2019161452.tif 000016